(57)【要約】【課題】設置条件にかかわらず取付枠に取り付けることができるパネルカバー及びカバーユニットを提供する。【解決手段】パネルカバー１は、取付枠２に設けられた開口窓２１を通して前面３２１を前方に露出させた状態で取付枠２に保持される配線器具３の後部を覆うように取付枠２に取り付けられる。パネルカバー１は、取付枠２に設けられた枠側引掛部２４に引っ掛けられるパネル側引掛部１４を備える。パネル側引掛部１４は、前後方向において互いに間隔を空けて配置された複数の引掛機能部１５を有する。パネルカバー１は、複数の引掛機能部１５のうちいずれか１つが枠側引掛部２４に引っ掛けられることで取付枠２に取り付けられる。【選択図】図１
2019036448.tif 000002
【特許請求の範囲】
【請求項１】
取付枠に設けられた開口窓を通して機能面を前方に露出させた状態で前記取付枠に保持される配線器具の後部を覆うように前記取付枠に取り付けられるパネルカバーであって、
前記取付枠に設けられた枠側引掛部に引っ掛けられるパネル側引掛部を備え、
前記パネル側引掛部は、前後方向において互いに間隔を空けて配置された複数の引掛機能部を有し、
前記複数の引掛機能部のうちいずれか１つが前記枠側引掛部に引っ掛けられることで前記取付枠に取り付けられる
パネルカバー。
【請求項２】
前記配線器具の後面と対向する板状の背面部と、
前後方向と交差する方向における前記背面部の両端部から前方に突出する第１側面部及び第２側面部と、
複数の前記枠側引掛部と一対一に対応する複数の前記パネル側引掛部と、を備え、
前記複数の引掛機能部の各々は、
前記第１側面部と前記第２側面部との一方の前端部から前記第１側面部と前記第２側面部との他方に近づく向きに突出する突出片と、
前記突出片の前端部から前方に突出して前記複数の枠側引掛部のうち対応する枠側引掛部に引っ掛けられる引掛片と、を含む
請求項１に記載のパネルカバー。
【請求項３】
前記複数の引掛機能部のうち隣り合う２つの引掛機能部の間に、前記隣り合う２つの引掛機能部のうち前側の引掛機能部を折り取るための折り取り部が設けられている
請求項１又は２に記載のパネルカバー。
【請求項４】
前記複数の引掛機能部の各々は、前後方向と交差する方向である撓み方向に撓み可能であり、
前記折り取り部は、前後方向及び前記撓み方向の両方と交差する方向である折り取り方向に折り取り可能である
請求項３に記載のパネルカバー。
【請求項５】
前記折り取り部は、前記折り取り方向における前記折り取り部の外側面に形成された溝を有する
請求項４に記載のパネルカバー。
【請求項６】
前記溝は、開口端から離れるにつれて互いの間隔が狭くなるように傾斜する一対の傾斜面を有している
請求項５に記載のパネルカバー。
【請求項７】
請求項１〜６のいずれか１項に記載のパネルカバーと、
前記パネルカバーに取り付けられる防気カバーと、を備える
カバーユニット。
【発明の詳細な説明】
【技術分野】
【０００１】
本開示は、一般にパネルカバー及びカバーユニットに関し、より詳細には、取付枠を用いて造営材に取り付けられる配線器具を保護するためのパネルカバー及びカバーユニットに関する。
【背景技術】
【０００２】
特許文献１には、埋込配線器具をボックスレスで取り付ける場合において、埋込配線器具の側面及び背面を覆うように取付枠の背面側に取り付けられるパネルカバーが記載されている。特許文献１に記載のパネルカバーは、前端部に係止爪が設けられた４つの弾性係止片を有し、取付枠に設けられた４つの切欠の各々に対応する弾性係止片の係止爪を係止させることで取付枠に取り付けられる。
【先行技術文献】
【特許文献】
【０００３】
【特許文献１】特開２００５−２４５１６９号公報
【発明の概要】
【発明が解決しようとする課題】
【０００４】
ところで、特許文献１に記載のパネルカバーでは、設置条件によっては取付枠に取り付けることができない場合があった。
【０００５】
本開示は上記課題に鑑みてなされており、設置条件にかかわらず取付枠に取り付けることができるパネルカバー及びカバーユニットを提供することを目的とする。
【課題を解決するための手段】
【０００６】
本開示の一態様に係るパネルカバーは、取付枠に設けられた開口窓を通して機能面を前方に露出させた状態で前記取付枠に保持される配線器具の後部を覆うように前記取付枠に取り付けられる。前記パネルカバーは、前記取付枠に設けられた枠側引掛部に引っ掛けられるパネル側引掛部を備える。前記パネル側引掛部は、前後方向において互いに間隔を空けて配置された複数の引掛機能部を有する。前記パネルカバーは、前記複数の引掛機能部のうちいずれか１つが前記枠側引掛部に引っ掛けられることで前記取付枠に取り付けられる。
【０００７】
本開示の一態様に係るカバーユニットは、前記パネルカバーと、前記パネルカバーに取り付けられる防気カバーと、を備える。
【発明の効果】
【０００８】
本開示によれば、設置条件にかかわらず取付枠にパネルカバーを取り付けることができる、という利点がある。
【図面の簡単な説明】
【０００９】
【図１】図１は、本開示の一実施形態に係るパネルカバー及びカバーユニットを備えた配線器具システムを前方から見た分解斜視図である。
【図２】図２は、同上のパネルカバー及びカバーユニットを備えた配線器具システムを前方から見た斜視図である。
【図３】図３は、同上のパネルカバー及びカバーユニットを備えた配線器具システムを後方から見た分解斜視図である。
【図４】図４Ａは、同上のパネルカバーの正面図、図４Ｂは右側面図、図４Ｃは平面図、図４Ｄは要部拡大図である。
【図５】図５は、同上のパネルカバーを取付枠に取り付けた状態の要部拡大図である。
【図６】図６は、同上のパネルカバー及びカバーユニットを備えた配線器具システムを造営材に取り付けた状態の左側面図である。
【発明を実施するための形態】
【００１０】
（１）概要
以下、本実施形態に係るパネルカバー１及びカバーユニット１０の概要について、図１〜図３を参照して説明する。
【００１１】
本実施形態に係るパネルカバー１は、取付枠２を用いて造営材１００（図６参照）に取り付けられる配線器具３を保護するための保護カバーである。このパネルカバー１は、造営材１００に設けられた開口部１００Ａ（図６参照）を通して造営材１００の裏面側に配置される配線器具３の後部を覆うようにして取付枠２に取り付けられる。造営材１００は、本実施形態では一例として、戸建て住宅等の建物の壁面である。
【００１２】
配線器具３は、配線器具３に対して電線を電気的に接続した状態で、造営材１００に取り付けられる。配線器具３は、埋込型の配線器具であって、取付枠２を用いて造営材１００に取り付けられる。具体的には、造営材１００の開口部１００Ａを通して配線器具３の後部を造営材１００の裏面側に埋め込んだ状態で、取付枠２と挟み金具５（後述する）とで開口部１００Ａの開口端縁を挟み込むことにより、配線器具３が造営材１００に取り付けられる。本実施形態では一例として、配線器具３は、電気機器のプラグが接続されて電気機器への電力供給を行うコンセント（Outlet）である。配線器具３は、接地極を有し、２個のプラグを同時に接続可能な２個口タイプのコンセントである。
【００１３】
ところで、上述の特許文献１に記載のパネルカバーでは、奥行寸法が一定であるため、設置条件によっては取付枠に取り付けることができない場合があった。また、設置条件に応じた対応が可能なように、奥行寸法の異なる複数種類のパネルカバーを用意することも想定されるが、この場合には品番管理等が煩雑になる可能性があった。ここでいう「設置条件」とは、配線器具３のサイズ（奥行寸法等）、造営材１００の裏側の奥行寸法等のことをいう。
【００１４】
本実施形態に係るパネルカバー１は、設置条件にかかわらず取付枠２に取り付けることができるように、以下のように構成されている。言い換えると、本実施形態に係るパネルカバー１は、前後方向において奥行寸法Ｄ１（図６参照）を調節可能に構成されている。
【００１５】
本実施形態に係るパネルカバー１は、配線器具３の後部を覆うように取付枠２に取り付けられる。配線器具３は、取付枠２に設けられた開口窓２１を通して前面（機能面）３２１を前方に露出させた状態で取付枠２に保持される。パネルカバー１は、取付枠２に設けられた枠側引掛部２４に引っ掛けられるパネル側引掛部１４を備えている。パネル側引掛部１４は、前後方向において互いに間隔を空けて配置された複数（図示例では２つ）の引掛機能部１５を有している。パネルカバー１は、複数の引掛機能部１５のうちいずれか１つが枠側引掛部２４に引っ掛けられることで取付枠２に取り付けられる。
【００１６】
また、本実施形態に係るカバーユニット１０は、上述のパネルカバー１と、防気カバー４と、を備えている。防気カバー４は、前後方向において取付枠２とパネルカバー１との間に配置され、パネルカバー１と共に取付枠２に取り付けられる。
【００１７】
本実施形態に係るパネルカバー１及びカバーユニット１０では、取付枠２の枠側引掛部２４に引っ掛けられる複数の引掛機能部１５が前後方向に間隔を空けて設けられている。そして、いずれかの引掛機能部１５を枠側引掛部２４に引っ掛けることでパネルカバー１が取付枠２に取り付けられる。すなわち、本実施形態に係るパネルカバー１及びカバーユニット１０によれば、パネルカバー１の奥行寸法（前後方向における寸法）Ｄ１を調節可能であることから、設置条件にかかわらず取付枠２にパネルカバー１を取り付けることができる。
【００１８】
（２）詳細
以下、本実施形態に係るパネルカバー１及びカバーユニット１０を備えた配線器具システムの詳細について、図１〜図６を参照して説明する。以下の説明では、造営材１００に配線器具３が取り付けられた状態において、造営材１００と直交する方向を「前後方向」とし、前後方向に直交し、かつ水平方向に平行な方向を「左右方向」とし、前後方向と左右方向との両方に直交する方向を「上下方向」とする。
【００１９】
ここで、図面中の「前」、「後」、「上」、「下」、「左」、「右」を示す矢印は説明のために表記しているに過ぎず、実体を伴わない。また、上記に示す方向は、パネルカバー１及びカバーユニット１０の使用方向を限定する趣旨ではない。例えば、配線器具３が床面に取り付けられる場合、すなわち造営材１００が床面である場合には、「前後方向」は水平面と直交する方向となり、「左右方向及び上下方向」は水平面と平行な方向となる。
【００２０】
本実施形態に係る配線器具システムは、図１〜図３に示すように、取付枠２と、配線器具３と、一対の挟み金具５と、カバーユニット１０と、を備えている。また、本実施形態に係る配線器具システムは、化粧プレート６（図６参照）を更に備えている。本実施形態に係るカバーユニット１０は、パネルカバー１と、防気カバー４と、を備えている。本実施形態では、パネルカバー１、取付枠２、配線器具３、防気カバー４及び化粧プレート６は、配線器具３の長手方向が水平面に直交する方向となる向き（つまり、縦向き）で、造営材１００に取り付けられている。もちろん、パネルカバー１、取付枠２、配線器具３、防気カバー４及び化粧プレート６は、配線器具３の長手方向が水平面に平行な方向となる向き（つまり、横向き）で、造営材１００に取り付けられていてもよい。また、防気カバー４及び挟み金具５については配線器具システムの必須の構成ではなく、省略されていてもよい。
【００２１】
（２．１）パネルカバー
まず、パネルカバー１について図４Ａ〜図４Ｄを参照して説明する。パネルカバー１は、例えばＡＡＳ樹脂等の合成樹脂材料で形成されている。パネルカバー１は、背面部１１と、第１側面部１２と、第２側面部１３と、複数（図示例では４つ）のパネル側引掛部１４と、を有している。背面部１１は、上下方向に長い長方形の板状に形成されており、パネルカバー１が取付枠２に取り付けられた状態において配線器具３の後面と対向する（図６参照）。第１側面部１２は、上下方向に長い長方形の板状であって、背面部１１の左端縁から前方に突出している。第２側面部１３は、上下方向に長い長方形の板状であって、背面部１１の右端縁から前方に突出している。言い換えると、第１側面部１２及び第２側面部１３は、前後方向と交差する方向（左右方向）における背面部１１の両端部から前方に突出している。
【００２２】
複数のパネル側引掛部１４のうちの２つは、第１側面部１２の上下方向の両端部に一体に形成されている。また、複数のパネル側引掛部１４のうちの残りの２つは、第２側面部１３の上下方向の両端部に一体に形成されている。複数のパネル側引掛部１４の各々は、複数（図示例では２つ）の引掛機能部１５を有している。複数のパネル側引掛部１４は、取付枠２に設けられた複数（図示例では４つ）の枠側引掛部２４（後述する）と一対一に対応している。つまり、複数のパネル側引掛部１４の各々を対応する枠側引掛部２４に引っ掛けることにより、パネルカバー１が取付枠２に取り付けられる。
【００２３】
複数の引掛機能部１５の各々は、突出片１５１と、引掛片１５２と、を含む。突出片１５１は、第１側面部１２又は第２側面部１３の前端部から右向き又は左向きに突出している。言い換えると、突出片１５１は、第１側面部１２と第２側面部１３との一方の前端部から、第１側面部１２と第２側面部１３との他方に近づく向きに突出している。引掛片１５２は、突出片１５１の先端部（右端部又は左端部）において、前端部から前方に突出している。各引掛片１５２の先端部（前端部）には、左右方向から見た形状が三角形状の引掛爪１５３が一体に形成されている。また、各引掛爪１５３の左端部又は右端部には、図４Ｄに示すように、左方又は右方に突出する突部１５４が一体に形成されている。この突部１５４は、取付枠２の枠側引掛部２４に引っ掛けられた引掛機能部１５が後方に抜けないようにするための抜け止めとして機能する。
【００２４】
ここで、本実施形態では、各パネル側引掛部１４を構成する複数の引掛機能部１５は、図４Ｂ及び図４Ｃに示すように、前後方向において間隔を空けて配置されている。そして、前後方向において隣り合う２つの引掛機能部１５の間は、前後方向に伸びる板状の折り取り部１６によって連結されている。言い換えると、複数の引掛機能部１５のうち隣り合う２つの引掛機能部１５の間に、隣り合う２つの引掛機能部１５のうち前側の引掛機能部１５を折り取るための折り取り部１６が設けられている。折り取り部１６は、溝１６１を有している。溝１６１は、上下方向から見た形状がＶ字状であり、折り取り部１６の後端部で、かつ左右方向における外側面（右側面又は左側面）に設けられている。言い換えると、溝１６１は、開口端から離れるにつれて互いの間隔が狭くなるように傾斜する一対の傾斜面を有している。また、溝１６１は、上下方向に沿って形成されている。
【００２５】
ここで、複数の引掛機能部１５の各々は、前後方向と直交（交差）する上下方向に撓み可能に構成されているため、折り取り部１６の上下方向における上側面又は下側面に溝１６１を設けた場合、引掛機能部１５の撓み時に折り取り部１６が折れる可能性がある。そのため、本実施形態では、引掛機能部１５の撓み時に折り取り部１６が折れないように、引掛機能部１５の撓み方向（上下方向）と交差する方向における折り取り部１６の外側面（右側面又は左側面）に溝１６１を設けている。言い換えると、折り取り部１６は、前後方向及び撓み方向の両方と交差する方向である折り取り方向（左右方向）に折り取り可能であり、折り取り方向における折り取り部１６の外側面に形成された溝１６１を有している。
【００２６】
（２．２）取付枠
次に、取付枠２について説明する。取付枠２は、例えば亜鉛鋼板等の金属材料で形成されている。取付枠２は、図１〜図３に示すように、上下方向に長い長方形の枠状に形成されており、長方形の開口窓２１を有している。取付枠２は、上下方向において開口窓２１を挟んで対向する一対の第１枠片２２と、左右方向において開口窓２１を挟んで対向する一対の第２枠片２３と、を有している。一対の第１枠片２２は、一対の第２枠片２３のうち左側の第２枠片２３の上下方向の両端部と、右側の第２枠片２３の上下方向の両端部との間を連結している。つまり、取付枠２は、一対の第１枠片２２と一対の第２枠片２３とで、開口窓２１を囲むように形成されている。
【００２７】
一対の第１枠片２２の各々は、左右方向に長い長円状の第１固定孔２２１と、円形状の一対の第２固定孔２２２と、円形状の結合孔２２３と、Ｌ字状の一対の引掛孔２２５と、リブ２２６と、を有している。第１固定孔２２１は、第１枠片２２を前後方向に貫通しており、挟み金具５を用いて造営材１００に取付枠２を固定する固定ねじを通すための孔である。一対の第２固定孔２２２は、それぞれ第１枠片２２を前後方向に貫通しており、取付枠２を造営材１００の表面に直付けする固定ねじを通すための孔である。結合孔２２３は、第１枠片２２の前面から前方に突出した台部２２４において、第１枠片２２を前後方向に貫通して設けられている。結合孔２２３は、化粧プレート６（図６参照）を取付枠２に固定する固定ねじをねじ込むためのねじ孔である。リブ２２６は、取付枠２を補強するためのリブであり、第１枠片２２の上下方向における開口窓２１側の端縁から前方に突出している。
【００２８】
一対の引掛孔２２５は、それぞれ第１枠片２２を前後方向に貫通しており、取付枠２を造営材１００に取り付けるための挟み金具５の引掛片５４（後述する）を引っ掛けるための孔である。一対の引掛孔２２５の各々は、図５に示すように、左右方向に長い第１孔２２５Ａと、上下方向に長い第２孔２２５ＢとでＬ字状に形成されている。本実施形態では、各引掛孔２２５には、挟み金具５の引掛片５４が引っ掛けられると共に、上述のパネルカバー１の引掛片１５２が引っ掛けられる。つまり、取付枠２は、枠側引掛部２４としても機能する引掛孔２２５を有している。
【００２９】
一対の第２枠片２３の各々は、一対の保持部２３１と、リブ２３２と、を有している。一対の保持部２３１の各々は、左右方向から見た形状がＭ字状であり、第２枠片２３の左右方向における開口窓２１側の端縁から後方に突出している。一対の保持部２３１は、上下方向において所定の間隔を空けて設けられている。すなわち、本実施形態に係る取付枠２は、４つの保持部２３１を有している。そして、４つの保持部２３１の内側の孔内に、配線器具３の器体３０（後述する）に設けられた４つの突起３３（後述する）がそれぞれ嵌め込まれることにより、配線器具３が取付枠２に保持される。リブ２３２は、取付枠２を補強するためのリブであり、第２枠片２３の左右方向における開口窓２１と反対側の端縁から前方に突出している。
【００３０】
（２．３）配線器具
次に、配線器具３について説明する。配線器具３は、図１〜図３に示すように、ボディ３１とカバー３２とを結合して構成される器体３０を有している。器体３０の内部には、刃受部材及び端子板等の部品が収納されている。
【００３１】
ボディ３１は、例えばＡＢＳ（Acrylonitrile Butadiene Styrene）樹脂等の合成樹脂材料で形成されている。ボディ３１は、上下方向に長い直方体状であり、前面が開口している。ボディ３１の後面には、複数（図示例では６つ）の電線挿入孔３１１と、複数（図示例では３つ）の解除孔３１２とが設けられている。複数の電線挿入孔３１１のうちの４つは、給電用の電線を差し込むための孔であり、残りの２つは、接地用の電線を差し込むための孔である。複数の解除孔３１２のうちの２つは、電線挿入孔３１１に差し込まれた給電用の電線と対応する端子板との接続状態を解除するための孔であり、残りの１つは、電線挿入孔３１１に差し込まれた接地用の電線と対応する端子板との接続状態を解除するための孔である。
【００３２】
カバー３２は、例えばユリア樹脂（尿素樹脂）等の合成樹脂材料で形成されている。カバー３２は、上下方向に長い直方体状であり、後面が開口している。カバー３２の前面（機能面）３２１には、複数（図示例では６つ）の挿入孔３２２が形成されている。複数の挿入孔３２２には、電気機器のプラグのピン又は栓刃が差し込まれ、これにより配線器具３に対して電気機器が電気的に接続される。本実施形態では、配線器具３は、一対の電源極（Ｌ極及びＮ極）と接地極とを有するプラグに適合するように、３つ１組の挿入孔３２２を２組有している。
【００３３】
器体３０は、図１及び図３に示すように、４つの突起３３を有している。４つの突起３３のうちの２つは、器体３０の右側面において上下方向に間隔を空けて設けられており、残りの２つは、器体３０の左側面において上下方向に間隔を空けて設けられている。そして、器体３０の４つの突起３３が、取付枠２の４つの保持部２３１の内側の孔内にそれぞれ嵌め込まれることにより、取付枠２に配線器具３（器体３０）が保持される。
【００３４】
（２．４）防気カバー
次に、防気カバー４について説明する。防気カバー４は、例えば、低密度ポリエチレンシートのような可視光に対して透光性を有する合成樹脂材料で形成されている。防気カバー４は、図１〜図３に示すように、カバー本体４１と、枠体４２と、を有している。
【００３５】
カバー本体４１は、上下方向に長い直方体状であり、前面が開口している。カバー本体４１の内部空間は、配線器具３を収納するための収納空間である。カバー本体４１の後面には、後方に突出する複数（図示例では４つ）の突出部４１１が設けられている。これら複数の突出部４１１は、配線器具３に接続される電線を通すための孔を形成し、例えばニッパ等の工具を用いて突出部４１１の底部に孔を開けることで電線を通すことができる。
【００３６】
枠体４２は、カバー本体４１の開口端縁から外向きに突出する枠状に形成されている。枠体４２は、一対の第１枠片４２１と、一対の第２枠片４２２と、を有している。一対の第１枠片４２１の各々は、カバー本体４１の上側又は下側の開口端縁から外向きに突出している。一対の第２枠片４２２の各々は、カバー本体４１の左側又は右側の開口端縁から外向きに突出している。一対の第１枠片４２１の各々は、十字状の切り込みからなる第１挿通孔４２３と、Ｈ字状の切り込みからなる一対の第２挿通孔４２４と、Ｉ字状の切り込みからなる一対の第３挿通孔４２５と、を有している。第１挿通孔４２３は、第１枠片４２１の左右方向の中央部に設けられており、取付枠２の第１固定孔２２１に通される固定ねじを通すための孔である。一対の第２挿通孔４２４は、第１枠片４２１において第１挿通孔４２３の左右両側に設けられており、パネルカバー１の引掛片１５２を通すための孔である。一対の第３挿通孔４２５は、第１枠片４２１において第１挿通孔４２３の左右両側で、かつ一対の第２挿通孔４２４よりもカバー本体４１側に設けられており、挟み金具５の一対の引掛片５４を通すための孔である。
【００３７】
（２．５）挟み金具
次に、挟み金具５について説明する。挟み金具５は、例えば亜鉛鋼板等の金属材料で形成されている。挟み金具５は、図１〜図３に示すように、第１片５１と、第２片５２と、第３片５３と、一対の引掛片５４と、を有している。第１片５１、第２片５２及び第３片５３は、それぞれ左右方向に長い板状であり、一体に形成されている。第１片５１は、第２片５２の後端部から斜め前方に突出しており、第１片５１と第２片５２とがなす角度は９０度よりも小さい。第３片５３は、第２片５２の前端部から上方又は下方に突出している。第３片５３は、第３片５３を前後方向に貫通し、取付枠２の第１固定孔２２１に通された固定ねじがねじ込まれるねじ孔５３１を有している。また、第３片５３の先端部（前端部）には、Ｌ字状の一対の引掛片５４が一体に設けられている。そして、取付枠２の一対の引掛孔２２５に一対の引掛片５４を引っ掛けることにより、取付枠２に挟み金具５が取り付けられる。
【００３８】
（２．６）化粧プレート
次に、化粧プレート６について説明する。化粧プレート６は、例えばＡＢＳ樹脂等の合成樹脂材料で形成されている。化粧プレート６は、前方から見て上下方向に長い長方形の枠状に形成されており、上下方向に長い露出窓を有している。また、化粧プレート６は、化粧プレート６を取付枠２に固定する固定ねじを通すためのねじ挿通孔を有している。そして、取付枠２に化粧プレート６を取り付けた状態では、配線器具３は、化粧プレート６の露出窓内に配置されており、配線器具３の前面（機能面）３２１が前方に露出している。
【００３９】
（３）組立方法
次に、本実施形態に係るカバーユニット１０及び配線器具システムの組立方法について説明する。
【００４０】
まず、施工者は、配線器具３を取付枠２に取り付ける。このとき、施工者は、取付枠２の４つの保持部２３１の内側の孔内に、配線器具３の４つの突起３３をそれぞれ嵌め込む。これにより、配線器具３が取付枠２に取り付けられる。この状態において、配線器具３は、取付枠２の開口窓２１内に配置されており、開口窓２１を通して前面（機能面）３２１が前方に露出している（図２参照）。
【００４１】
次に、施工者は、造営材１００の裏面側に先行配線された電線を、配線器具３の後面に設けられた電線挿入孔３１１に挿入する。このとき、施工者は、防気カバー４のカバー本体４１に設けられた突出部４１１の先端をカットして孔を形成し、上記電線を孔に通した後、上記電線を電線挿入孔３１１に挿入する。その後、施工者は、カバー本体４１にて配線器具３の後部を覆うように防気カバー４を取付枠２に取り付ける。
【００４２】
続けて、施工者は、取付枠２に一対の挟み金具５を取り付ける。このとき、施工者は、防気カバー４の一対の第１枠片４２１の各々に設けられた一対の第３挿通孔４２５に挟み金具５の一対の引掛片５４を通した後、取付枠２の一対の引掛孔２２５に一対の引掛片５４を引っ掛ける。施工者は、一対の引掛孔２２５に一対の引掛片５４を引っ掛ける際に、一対の引掛孔２２５の第１孔２２５Ａに一対の引掛片５４を通した後、第２孔２２５Ｂに沿って一対の引掛片５４を一対の第２孔２２５Ｂの端部（下端部又は上端部）まで移動させる。これにより、取付枠２に挟み金具５が取り付けられる。
【００４３】
その後、施工者は、取付枠２にパネルカバー１を取り付ける。このとき、施工者は、パネルカバー１の４つのパネル側引掛部１４のうち上側の２つのパネル側引掛部１４を、取付枠２の上側の第１枠片２２の一対の引掛孔２２５（枠側引掛部２４）に引っ掛ける。また、施工者は、４つのパネル側引掛部１４のうち下側の２つのパネル側引掛部１４を下側の第１枠片２２の一対の引掛孔２２５（枠側引掛部２４）に引っ掛ける。具体的には、各パネル側引掛部１４を構成する複数の引掛機能部１５のうち選択された引掛機能部１５の引掛片１５２が、対応する引掛孔２２５に引っ掛けられる。この状態では、図５に示すように、引掛片１５２と一体に形成された突部１５４が取付枠２の第１枠片２２の表面（前面）に接触しており、取付枠２に対してパネルカバー１が抜け止めされる。
【００４４】
なお、取付枠２からパネルカバー１を取り外す場合、引掛機能部１５からの弾性力に抗って引掛片１５２（突部１５４を含む）を引掛孔２２５の第１孔２２５Ａに移動させた後、パネルカバー１を後方に引き抜く。
【００４５】
次に、施工者は、配線器具３を造営材１００に取り付ける。このとき、施工者は、造営材１００に設けられた開口部１００Ａを通して配線器具３の後部を造営材１００の裏面側に埋め込んだ後、造営材１００の開口部１００Ａの開口端縁を、取付枠２と一対の挟み金具５とで挟む。そして、施工者が、取付枠２の第１固定孔２２１に通した固定ねじを挟み金具５のねじ孔５３１にねじ込むことにより、配線器具３が造営材１００に取り付けられる。
【００４６】
最後に、施工者は、造営材１００に取り付けられた取付枠２に化粧プレート６（図６参照）を取り付ける。このとき、施工者が、化粧プレート６に設けられたねじ挿通孔に通した固定ねじを取付枠２の第１枠片２２に設けられた結合孔２２３にねじ込むことにより、化粧プレート６が取付枠２に固定される。この状態において、配線器具３は、化粧プレート６に設けられた露出窓内に配置され、露出窓を通して配線器具３の前面（機能面）３２１が前方に露出する。
【００４７】
ここで、本実施形態に係るパネルカバー１は、上述のように、複数（図示例では２つ）の引掛機能部１５が前後方向に間隔を空けて設けられている。例えば、配線器具３の奥行寸法が大きい場合には、前後方向において隣り合う２つの引掛機能部１５のうち前側の引掛機能部１５によってパネルカバー１を取付枠２に取り付けることができる。一方、造営材１００の裏側の奥行寸法が小さい場合には、前後方向において隣り合う２つの引掛機能部１５のうち後側の引掛機能部１５によってパネルカバー１を取付枠２に取り付けることができる。この場合、前後方向において隣り合う２つの引掛機能部１５間に設けられた折り取り部１６によって前側の引掛機能部１５を折り取ることによって、後側の引掛機能部１５を利用することができる。このように、本実施形態に係るパネルカバー１は、パネルカバー１の奥行寸法Ｄ１（図６参照）を調節可能に構成されているため、設置条件にかかわらず、取付枠２に取り付けることができる。
【００４８】
（４）変形例
上述の実施形態は、本開示の様々な実施形態の一つに過ぎない。また、上述の実施形態は、本開示の目的を達成できれば、設計等に応じて種々の変更が可能である。以下、上述の実施形態の変形例を列挙する。以下に説明する変形例は、適宜組み合わせて適用可能である。
【００４９】
上述の実施形態では、取付枠２が金属材料で形成されているが、取付枠２は、金属材料に限らず、例えば合成樹脂材料で形成されていてもよい。また、上述の実施形態では、パネルカバー１が合成樹脂材料で形成されているが、パネルカバー１は、合成樹脂材料に限らず、例えば金属材料で形成されていてもよい。
【００５０】
上述の実施形態では、各パネル側引掛部１４に設けられた引掛機能部１５の個数が２つの場合を例として説明したが、引掛機能部１５の個数は２つに限らず、３つ、又は４つ以上であってもよい。但し、引掛機能部１５の個数は２つ又は３つであることが好ましい。また、引掛機能部１５の個数が３つ以上である場合には、前後方向において隣り合う２つの引掛機能部１５間の折り取り部１６の長さは同じであってもよいし、異なっていてもよい。
【００５１】
上述の実施形態では、折り取り部１６の折り取り方向（左右方向）における外側面（左側面又は右側面）にＶ字状の溝１６１が設けられているが、溝１６１は、折り取り部１６の折り取り方向における外側面と内側面との両方に設けられていてもよい。また、溝１６１は省略されていてもよい。この場合、折り取り部１６は、例えば折り取り位置を示す線等によって折り取り位置が分かるように構成されていることが好ましい。さらに、溝１６１の形状はＶ字状に限らず、一対の傾斜面を有する形状であればよく、例えば台形状であってもよい。また、溝１６１の形状は、例えば、矩形状であってもよいし、半円状であってもよい。これらの場合でも、溝１６１によって折り取り部１６を折り取りやすくなるという利点がある。
【００５２】
上述の実施形態では、折り取り部１６によって前側の引掛機能部１５を折り取ることで、パネルカバー１の奥行寸法Ｄ１を調節（短く）する場合を例として説明した。これに対して、パネルカバー１は、折り取り部１６によって前側の引掛機能部１５を折り取ることで、異なる種類の取付枠２に取り付け可能であってもよい。もちろん、この場合においても、パネルカバー１の奥行寸法Ｄ１を調節できるようになっていてもよい。
【００５３】
上述の実施形態では、１連用の取付枠２にパネルカバー１を取り付ける場合を例として説明したが、例えば２連用又は３連用の取付枠２にパネルカバー１を取り付けることもできる。この場合において、２連用又は３連用の取付枠に対して、１連用のパネルカバー１を左右方向に並べて取り付けてもよいし、２連用又は３連用のパネルカバー１を取り付けてもよい。
【００５４】
上述の実施形態では、パネルカバー１の引掛機能部１５が引っ掛けられる枠側引掛部２４と、挟み金具５の一部（引掛片５４）が引っ掛けられる引掛孔２２５とが兼用されているが、枠側引掛部２４と引掛孔２２５とが別々に設けられていてもよい。
【００５５】
上述の実施形態では、配線器具３が２個口タイプのコンセントである場合を例として説明したが、配線器具３は、例えば１個口タイプのコンセントであってもよいし、さらに多数のプラグが接続可能なコンセントであってもよい。また、配線器具３は、コンセントに限らず、例えばスイッチ等であってもよい。
【００５６】
上述の実施形態に係る配線器具システムが適用される建物は戸建て住宅に限らず、例えばマンション等の集合住宅の各住戸であってもよいし、オフィスビル、病院、工場等の非住宅であってもよい。
【００５７】
（まとめ）
以上述べた実施形態から明らかなように、第１の態様に係るパネルカバー（１）は、配線器具（３）の後部を覆うように取付枠（２）に取り付けられる。配線器具（３）は、取付枠（２）に設けられた開口窓（２１）を通して機能面（前面（３２１））を前方に露出させた状態で取付枠（２）に保持される。パネルカバー（１）は、取付枠（２）に設けられた枠側引掛部（２４）に引っ掛けられるパネル側引掛部（１４）を備える。パネル側引掛部（１４）は、前後方向において互いに間隔を空けて配置された複数の引掛機能部（１５）を有する。パネルカバー（１）は、複数の引掛機能部（１５）のうちいずれか１つが枠側引掛部（２４）に引っ掛けられることで取付枠（２）に取り付けられる。
【００５８】
第１の態様では、取付枠（２）の枠側引掛部（２４）に引っ掛けられる複数の引掛機能部（１５）が前後方向に間隔を空けて設けられている。そして、いずれかの引掛機能部（１５）を枠側引掛部（２４）に引っ掛けることでパネルカバー（１）が取付枠（２）に取り付けられる。すなわち、第１の態様によれば、パネルカバー（１）の奥行寸法（Ｄ１）を調節可能であることから、設置条件にかかわらず取付枠（２）にパネルカバー（１）を取り付けることができる。
【００５９】
第２の態様に係るパネルカバー（１）は、第１の態様において、板状の背面部（１１）と、第１側面部（１２）及び第２側面部（１３）と、複数のパネル側引掛部（１４）と、を備える。背面部（１１）は、配線器具（３）の後面と対向する。第１側面部（１２）及び第２側面部（１３）は、前後方向と交差する方向（左右方向）における背面部（１１）の両端部から前方に突出する。複数のパネル側引掛部（１４）は、複数の枠側引掛部（２４）と一対一に対応する。複数の引掛機能部（１５）の各々は、突出片（１５１）と、引掛片（１５２）と、を含む。突出片（１５１）は、第１側面部（１２）と第２側面部（１３）との一方の前端部から第１側面部（１２）と第２側面部（１３）との他方に近づく向きに突出する。引掛片（１５２）は、突出片（１５１）の前端部から前方に突出して複数の枠側引掛部（２４）のうち対応する枠側引掛部（２４）に引っ掛けられる。
【００６０】
第２の態様によれば、複数の枠側引掛部（２４）の各々に、対応する引掛機能部（１５）の引掛片（１５２）を引っ掛けることによって、取付枠（２）にパネルカバー（１）を強固に取り付けることができる。
【００６１】
第３の態様に係るパネルカバー（１）では、第１又は２の態様において、複数の引掛機能部（１５）のうち隣り合う２つの引掛機能部（１５）の間に、折り取り部（１６）が設けられている。折り取り部（１６）は、隣り合う２つの引掛機能部（１５）のうち前側の引掛機能部（１５）を折り取るための部位である。
【００６２】
第３の態様によれば、折り取り部（１６）によって、取付枠（２）への取付時に不要な前側の引掛機能部（１５）を折り取ることができる。
【００６３】
第４の態様に係るパネルカバー（１）では、第３の態様において、複数の引掛機能部（１５）の各々は、前後方向と交差する方向である撓み方向（上下方向）に撓み可能である。折り取り部（１６）は、前後方向及び撓み方向の両方と交差する方向である折り取り方向（左右方向）に折り取り可能である。
【００６４】
第４の態様によれば、引掛機能部（１５）の撓み方向と交差する方向を折り取り方向とすることで、不要な引掛機能部（１５）の折り取りを可能にしながらも引掛機能部（１５）の強度を確保することができる。
【００６５】
第５の態様に係るパネルカバー（１）では、第４の態様において、折り取り部（１６）は、折り取り方向（左右方向）における折り取り部（１６）の外側面に形成された溝（１６１）を有する。
【００６６】
第５の態様によれば、折り取り部（１６）に設けられた溝（１６１）によって折り取り位置が分かりやすいという利点がある。
【００６７】
第６の態様に係るパネルカバー（１）では、第５の態様において、溝（１６１）は、開口端から離れるにつれて互いの間隔が狭くなるように傾斜する一対の傾斜面を有している。
【００６８】
第６の態様によれば、折り取り部（１６）に設けられた溝（１６１）が、一対の傾斜面を有する形状であるため、折り取り部（１６）を折り取りやすいという利点がある。
【００６９】
第７の態様に係るカバーユニット（１０）は、第１〜６のいずれかの態様のパネルカバー（１）と、パネルカバー（１）に取り付けられる防気カバー（４）と、を備える。
【００７０】
第７の態様によれば、第１〜６のいずれかの態様のパネルカバー（１）を備えているので、設置条件にかかわらず取付枠（２）にパネルカバー（１）を取り付けることができる。
【００７１】
第２〜第６の態様に係る構成については、パネルカバー（１）の必須の構成ではなく、適宜省略可能である。
【符号の説明】
【００７２】
１  パネルカバー
１１  背面部
１２  第１側面部
１３  第２側面部
１４  パネル側引掛部
１５  引掛機能部
１５１  突出片
１５２  引掛片
１６  折り取り部
１６１  溝
２  取付枠
２１  開口窓
２４  枠側引掛部
２２５  引掛孔（枠側引掛部）
３  配線器具
３２１  前面（機能面）
４  防気カバー
５  挟み金具
１０  カバーユニット
１００  造営材
１００Ａ  開口部
【図１】
2019036448.tif 000003
【図２】
2019036448.tif 000004
【図３】
2019036448.tif 000005
【図４】
2019036448.tif 000006
【図５】
2019036448.tif 000007
【図６】
2019036448.tif 000008